(57)【特許請求の範囲】
【請求項１】
光ファイバ裸線に紫外線硬化型樹脂を塗布した後の光ファイバに半導体発光素子を用いて紫外線を照射する工程を含む光ファイバの製造方法であって、
前記工程は、
前記半導体発光素子が複数個並べられた発光部を三台以上の奇数台、前記光ファイバの周囲に配置し、前記発光部を前記光ファイバの走行方向に垂直な面上に射影したときに前記発光部は前記光ファイバを中心として放射状に同じ角度を成すように配置し、
前記発光部の対面に、前記光ファイバを挟んで、反射面を前記光ファイバの走行方向に垂直な面上に射影した時に前記反射面が曲線に見える反射鏡を配置し、
三台以上の奇数台の前記発光部とその対面に配置される前記反射鏡の組み合わせを前記光ファイバの走行方向に沿った同位置に配置したものを一段とし、前記走行方向に前記組み合わせを複数段配置し、
一つの前記発光部に含まれる前記半導体発光素子は、出射される紫外線の中心波長が同じ種類の前記半導体発光素子を使用し、
前記一段に含まれる三台以上の奇数台の前記発光部のうちに、異なる種類の前記半導体発光素子をそれぞれ使用して出射される紫外線の中心波長が１０ｎｍ以上異なる複数の前記発光部を含み、
前記反射鏡により前記発光部からの紫外線を反射させ、
不活性ガスが流れている透明管の内部に前記光ファイバを通す際に、前記透明管を通して前記光ファイバに前記発光部および前記反射鏡からの紫外線を照射する、
光ファイバの製造方法。
【請求項２】
前記奇数台を五台とする、請求項１に記載の光ファイバの製造方法。
【請求項３】
前記発光部と前記反射鏡の組が前記光ファイバの走行方向に複数段配置され、一つの前記発光部とその下に配置される前記発光部とで出射される紫外線の中心波長が１０ｎｍ以上異なる、請求項１または請求項２に記載の光ファイバの製造方法。
【請求項４】
前記発光部から出射される紫外線をレンズで集光して、対面の前記反射鏡で反射させ、その反射紫外線を前記光ファイバの走行位置付近で集光する、請求項１から請求項３のいずれか一項に記載の光ファイバの製造方法。
【請求項５】
前記発光部から出射される紫外線と前記反射鏡で反射される反射紫外線との合計の紫外線強度が、最大強度に対し８０％以上である領域の光ファイバの走行方向に垂直な断面における径が１ｍｍ以上２０ｍｍ以下である、請求項４に記載の光ファイバの製造方法。
【請求項６】
前記発光部から出射される紫外線と前記反射鏡で反射される反射紫外線との合計の紫外線強度が、最大強度に対し８０％以上である領域の光ファイバの走行方向に垂直な断面における径が１ｍｍ以上３ｍｍ以下である、請求項５に記載の光ファイバの製造方法。
【請求項７】
前記半導体発光素子の周囲の気体を交換して前記半導体発光素子を冷却する、請求項１から請求項６のいずれか一項に記載の光ファイバの製造方法。
【請求項８】
前記透明管が、その一側から３００ｎｍから４５０ｎｍまでの波長の光を照射して、前記透明管の他側で透過した前記光を測定したときの透過率が８０％以上である、請求項１から請求項７のいずれか一項に記載の光ファイバの製造方法。
【請求項９】
前記透過率が９０％以上である請求項８に記載の光ファイバの製造方法。
【請求項１０】
前記透過率が９５％以上である請求項８に記載の光ファイバの製造方法。
【請求項１１】
前記反射鏡は、アルミニウム製でフッ化マグネシウムの保護コートが施されている、請求項１から請求項１０のいずれか一項に記載の光ファイバの製造方法。
【発明の詳細な説明】
【技術分野】
【０００１】
本発明は、光ファイバの製造方法に関する。
【背景技術】
【０００２】
光ファイバの表面に塗布された紫外線硬化型樹脂に紫外線を照射することで、紫外線硬化型樹脂を硬化させる紫外線照射装置が知られている。特許文献１には、硬化領域における光ファイバの走行方向に沿ったプレート上に、一対の紫外線発光ダイオード（ＵＶ−ＬＥＤ）とミラーが並べて配置された紫外線照射装置が開示されている。
【先行技術文献】
【特許文献】
【０００３】
【特許文献１】米国特許公開８３１４４０８号公報
【発明の概要】
【発明が解決しようとする課題】
【０００４】
ＵＶ−ＬＥＤのような半導体発光素子は、紫外線の照射方向に指向性がある。このため、特許文献１のように、光ファイバの走行方向に一対のＵＶ−ＬＥＤとミラーを並べて配置するだけでは、光ファイバの周方向に紫外線硬化型樹脂の硬化ムラが発生する。よって、特許文献１のような従来の紫外線照射装置では、光ファイバの紫外線硬化型樹脂をその周囲に沿って均等に硬化させることが困難であった。
【０００５】
そこで、本発明の目的は、光ファイバの紫外線硬化型樹脂をその周囲に沿って均等に硬化させることができる光ファイバの製造方法を提供することにある。
【課題を解決するための手段】
【０００６】
本発明の一態様に係る光ファイバの製造方法は、光ファイバ裸線に紫外線硬化型樹脂を塗布した後の光ファイバに半導体発光素子を用いて紫外線を照射する工程を含む光ファイバの製造方法であって、
前記工程は、
前記半導体発光素子が複数個並べられた発光部を三台以上の奇数台、前記光ファイバの周囲に配置し、前記発光部を前記光ファイバの走行方向に垂直な面上に射影したときに前記発光部は前記光ファイバを中心として放射状に同じ角度を成すように配置し、
前記発光部の対面に、前記光ファイバを挟んで、反射面を前記光ファイバの走行方向に垂直な面上に射影した時に前記反射面が曲線に見える反射鏡を配置して、前記反射鏡により前記発光部からの紫外線を反射させ、
不活性ガスが流れている透明管の内部に前記光ファイバを通す際に、前記透明管を通して前記光ファイバに前記発光部および前記反射鏡からの紫外線を照射する。
【発明の効果】
【０００７】
本発明によれば、光ファイバの紫外線硬化型樹脂をその周囲に沿って均等に硬化させることができる。
【図面の簡単な説明】
【０００８】
【図１】光ファイバを製造する製造装置を示す図である。
【図２】本実施形態に係る光ファイバの製造方法で使用する紫外線照射装置の一例を示す断面図である。
【図３】図２に示す紫外線照射装置のＢ−Ｂ線断面図である。
【図４】図２に示す紫外線照射装置の発光部に対する放熱手段の一例を示す図である。
【図５】本実施形態に係る光ファイバの製造方法で使用する紫外線照射装置における配光を示す図である。
【図６】本実施形態に係る光ファイバの製造方法で使用する紫外線照射装置の変形例を示す断面図である。
【発明を実施するための形態】
【０００９】
［本発明の実施形態の説明］
最初に本発明の実施形態を列記して説明する。
本発明の実施形態に係る光ファイバの製造方法は、
（１）  光ファイバ裸線に紫外線硬化型樹脂を塗布した後の光ファイバに半導体発光素子を用いて紫外線を照射する工程を含む光ファイバの製造方法であって、
前記工程は、
前記半導体発光素子が複数個並べられた発光部を三台以上の奇数台、前記光ファイバの周囲に配置し、前記発光部を前記光ファイバの走行方向に垂直な面上に射影したときに前記発光部は前記光ファイバを中心として放射状に同じ角度を成すように配置し、
前記発光部の対面に、前記光ファイバを挟んで、反射面を前記光ファイバの走行方向に垂直な面上に射影した時に前記反射面が曲線に見える反射鏡を配置して、前記反射鏡により前記発光部からの紫外線を反射させ、
不活性ガスが流れている透明管の内部に前記光ファイバを通す際に、前記透明管を通して前記光ファイバに前記発光部および前記反射鏡からの紫外線を照射する。
【００１０】
発光部を光ファイバの走行方向に垂直な面上射影したときに、光ファイバを中心として放射状に略同じ角度を成すように三台以上の奇数台の発光部を配置すると、各発光部の対面の位置には発光部が配置されない（なお、偶数台の場合は、略同じ角度を成すように各発光部を配置すると、対面の位置に発光部が配置されてしまう。もしくは円対称形状にならず、不均一に照射されてしまう。）。このため、反射鏡を各発光部の対面に無理なくそれぞれ配置することができる。発光部および反射鏡をこのような配置とすることにより、異なる複数の方向から、光ファイバに対して紫外線が照射および反射されるので、光ファイバの周囲に均等に紫外線硬化型樹脂を硬化させることができる。
【００１１】
（２）  （１）の光ファイバの製造方法において、前記奇数台を五台とする。
上記（１）のように配置する発光部の台数を多くする程、より均等に周囲から紫外線を照射することができるが、透明管，発光部および反射鏡等の実際のサイズを考慮すると五台が限度と考えられる。このように五台の発光部を配置することにより、光ファイバの周囲にできる限り均等に、紫外線硬化型樹脂を硬化させることができる。
【００１２】
（３）  （１）または（２）の光ファイバの製造方法において、三台以上の奇数台の前記発光部とその対面に配置される前記反射鏡の組み合わせを前記光ファイバの走行方向に沿った同位置に配置したものを一段とし、前記走行方向に前記組み合わせを複数段配置する。
発光部と反射鏡との組み合わせを、光ファイバの走行方向に複数段にわたって配置するので、光ファイバの走行方向の上下の広い範囲に亘って紫外線を照射することができる。
【００１３】
（４）  （１）から（３）のいずれか一の光ファイバの製造方法において、出射される紫外線の中心波長が１０ｎｍ以上異なる前記半導体発光素子を二種類以上使用する。
照射される紫外線の中心波長が１０ｎｍ以上異なる半導体発光素子を二種類以上の使用することにより、照射する紫外線の波長をある程度幅があるようにすることができる。紫外線硬化型樹脂に含まれる光重合開始剤の吸収波長範囲は、ある程度幅を持っているので、紫外線硬化型樹脂に効率よく紫外線を吸収させて、硬化を促進させることができる。
【００１４】
（５）  （４）の光ファイバの製造方法において、一つの前記発光部に含まれる前記半導体発光素子は、出射される紫外線の中心波長が同じ種類の前記半導体発光素子を使用し、
異なる種類の前記半導体発光素子をそれぞれ使用して出射される紫外線の中心波長が１０ｎｍ以上異なる複数の前記発光部を含む。
一つの発光部に含まれる半導体発光素子の中心波長は同じであるが、複数の発光部のうちに、異なる種類の半導体発光素子をそれぞれ使用して中心波長が１０ｎｍ以上異なる紫外線を出射する発光部があるので、紫外線を照射する工程において、照射する紫外線の波長をある程度幅があるようにすることができる。
【００１５】
（６）  （５）の光ファイバの製造方法において、前記光ファイバの走行方向に沿った同位置に配置される一つの段に含まれる三台以上の奇数台の前記発光部のうちに、出射される紫外線の中心波長が１０ｎｍ以上異なる複数の前記発光部を含む。
光ファイバの走行方向に沿った同位置に配置される一つの段に含まれる発光部から出射される紫外線に中心波長が１０ｎｍ以上異なるものが含まれるので、異なる複数の方向から照射する紫外線の波長を幅があるようにすることができる。
【００１６】
（７）  （５）または（６）の光ファイバの製造方法において、前記発光部と前記反射鏡の組が前記光ファイバの走行方向に複数段配置され、一つの前記発光部とその下に配置される前記発光部とで出射される紫外線の中心波長が１０ｎｍ以上異なる。
一つの発光部とその下に配置される発光部とで出射される紫外線の中心波長が１０ｎｍ以上異なるので、光ファイバの走行方向に沿って、照射する紫外線の波長を幅があるようにすることができる。例えば上段で紫外線を浴びた光ファイバの部分が下段では中心波長が１０ｎｍ以上異なる紫外線を浴びるので、光ファイバの走行方向の上下で均等に紫外線を照射することができる。
【００１７】
（８）  （１）から（７）のいずれか一の光ファイバの製造方法において、前記発光部から出射される紫外線をレンズで集光して、対面の前記反射鏡で反射させ、その反射紫外線を前記光ファイバの走行位置付近で集光する。
反射紫外線を光ファイバの走行位置付近で集光するので、光ファイバに照射される紫外線量を多くでき、紫外線硬化型樹脂を十分硬化させることができる。
【００１８】
（９）  （８）の光ファイバの製造方法において、前記発光部から出射される紫外線と前記反射鏡で反射される反射紫外線との合計の紫外線強度が、最大強度に対し８０％以上である領域の光ファイバの走行方向に垂直な断面における径が１ｍｍ以上２０ｍｍ以下である。上記径が２０ｍｍ以上では、強度が低くなりすぎ、線速を上げることができずに生産性が著しく低下する。
（１０）  上記（９）の光ファイバの製造方法において、光の有効利用の観点から上記径は１ｍｍ以上３ｍｍ以下が望ましい。
上記（９）、（１０）の光ファイバの製造方法によれば、光ファイバの走行位置の振れ幅が上記領域の範囲内であれば、光ファイバの走行位置がぶれても当たる紫外線の強度のばらつきを抑制することができる。
【００１９】
（１１）  （１）から（１０）のいずれか一の光ファイバの製造方法において、前記半導体発光素子の周囲の気体を交換して前記半導体発光素子を冷却する。
これにより、半導体発光素子の温度が過度に上昇することを防ぎ、半導体発光素子の寿命を長くすることができる。
【００２０】
（１２）  （１）から（１１）のいずれか一の光ファイバの製造方法において、前記透明管が、その一側から３００ｎｍから４５０ｎｍまでの波長の光を照射して、前記透明管の他側で透過した前記光を測定したときの透過率が８０％以上である。
透明管を透過する紫外線の割合が大きくなるので、光ファイバに照射される紫外線の量を多くすることができる。
【００２１】
（１３）  （１２）の光ファイバの製造方法において、前記透過率が９０％以上である。
透明管を透過する紫外線の割合がより大きくなるので、光ファイバに照射される紫外線の量をより多くすることができる。
【００２２】
（１４）  （１２）の光ファイバの製造方法において、前記透過率が９５％以上である。
透明管を透過する紫外線の割合がさらに大きくなるので、光ファイバに照射される紫外線の量をさらに多くすることができる。
【００２３】
［本発明の実施形態の詳細］
本発明の実施形態に係る光ファイバの製造方法の具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００２４】
まず、本実施形態に係る光ファイバの製造方法により製造される光ファイバについて説明する。
本実施形態により製造される光ファイバは、光ファイバ裸線と、光ファイバ裸線の表面を被覆する被覆層とから構成されている。光ファイバ裸線は、例えば石英ガラスを主成分とする光ファイバ母材（プリフォーム）を線引きして形成されたガラスファイバである。被覆層は、紫外線が照射されると硬化する紫外線硬化型樹脂からなり、ガラスファイバの表面を保護する機能を有している。なお、被覆層は、ガラスファイバの周囲に直接被覆された内層（プライマリ樹脂層）と、その内層の周囲に被覆された外層（セカンダリ樹脂層）の二層または三層以上から構成されていてもよい。
【００２５】
図１は、光ファイバを製造するための製造装置１０を説明する図である。
まず、石英ガラスを主成分とする光ファイバ母材４が線引炉２０にセットされる。光ファイバ母材４の一方の端部（本例においては下端部）が、線引炉２０が有するヒータ２１により加熱・溶融され、光ファイバ母材４は線引きされる。
【００２６】
光ファイバ母材４が線引きされて形成されたガラスファイバ２は、ガラスファイバ２の走行方向（図１中の矢印Ａの方向）において線引炉２０の下流に設けられた冷却装置２５を通過する。冷却装置２５は、ガラスファイバ２を充分に冷却するためにガラスファイバ２の走行方向に沿って所定の長さを備えている。
【００２７】
次に、冷却されたガラスファイバ２は、冷却装置２５の下流に設けられた塗布器（ダイス）３０を通過する。塗布器３０には、液状の紫外線硬化型樹脂３１が溜められている。そのため、ガラスファイバ２が塗布器３０を通過することにより、ガラスファイバ２の外周に紫外線硬化型の樹脂が塗布される。なお、図１には１つの塗布器３０が示されているが、被覆層を内層および外層の２層構造とする場合には、塗布器３０を２つ備えるか（いわゆる  Ｗｅｔ-ｏｎ-Ｄｒｙ法）、または２層を同時に塗布する（いわゆる  Ｗｅｔ-ｏｎ-Ｗｅｔ法）機能を有する塗布器を備えるとよい。
【００２８】
次に、樹脂が塗布されたガラスファイバ２は、走行方向において塗布器３０の下流に設けられている紫外線照射装置４０を通過する。紫外線照射装置４０は、ガラスファイバ２の表面に塗布された樹脂に紫外線を照射して樹脂を硬化させ、光ファイバ１を形成する。
【００２９】
紫外線照射装置４０を通過することによって形成された光ファイバ１は、ガイドローラ５０および引取り手段５１を経て巻取りドラム５２に巻き取られる。
【００３０】
本実施形態に係る光ファイバの製造方法で使用する紫外線照射装置の一例として、紫外線照射装置４０について詳細に説明する。図２は、線引き時の光ファイバ１の走行方向に沿った紫外線照射装置４０の縦断面図であり、図３は図２に示した紫外線照射装置４０のＢ−Ｂ線断面図である。
【００３１】
図２に示すように、紫外線照射装置４０は、透明管４１、発光部４２、レンズ４３、反射鏡４４を備えている。半導体発光素子４２ｂが複数個並べられて発光部基台４２ａに固定されて発光部４２が構成されている。透明管４１は、その長手方向が光ファイバ１の走行方向に一致するように配置されている。そして、光ファイバ１が透明管４１の中心または中心近傍に通され、透明管４１の中心軸に沿って移動する。
【００３２】
透明管４１は、紫外線に対して透光性を有している。例えば石英管（例えば、外径は１０ｍｍ以上２５ｍｍ以下、内径は８ｍｍ以上２３ｍｍ以下）が好適に用いられる。透明管４１内を冷却するため、透明管４１内に不活性ガス（使用温度でほぼ不活性なガス）が矢印ＧＩＮで示すように導入され、透明管４１内を通って、矢印ＧＯＵＴで示されるように透明管４１から排気される。
透明管４１の上部に位置する塗布器３０側の端部には、不活性ガスを矢印ＧＩＮの方向に導入するためのガス導入管４６が接続されている。また、ガス導入管４６が接続されている端部と反対側の透明管４１の端部には、ガス排出管４７が接続されている。なお、ガス導入管４６およびガス排出管４７の周囲は封止されていてもよいが、封止されていなくてもよい。
【００３３】
不活性ガスとしては、例えば窒素ガスが用いられる。紫外線硬化型樹脂が硬化するときに雰囲気中の酸素濃度が一定量（例えば０．５ｖｏｌ％）以上となると、紫外線硬化型樹脂の硬化が不十分となる。したがって、本実施形態においては、光ファイバ１の周囲の酸素濃度を下げるために、光ファイバ１の周囲が石英ガラス等からなる透明管４１で覆われるとともに、透明管４１内に窒素ガスなどの不活性ガスが導入される。不活性ガスに含まれる酸素含有率は０．５ｖｏｌ％未満であり、これにより、樹脂表面の硬化阻害作用が抑制される。なお、酸素により硬化が阻害される樹脂は、アシルフォスフィンオキサイド系、チタノセン系等の光重合開始剤を含むラジカル重合系樹脂である。
【００３４】
また、紫外線を照射すると紫外線硬化型樹脂に含まれる低分子量成分が硬化時の熱で揮発する。この揮発成分が透明管４１の内面に付着して硬化すると、透明管４１の内面が曇り、紫外線が遮られてしまう傾向がある。紫外線照射装置４０においては、透明管４１内に窒素ガスなどの不活性ガスを導入することで、ガス排出管４７を介して透明管４１内の揮発成分を排出することができる。これにより、透明管４１内面が曇ってしまうことがなく、曇りによる紫外線の遮蔽を防止することができる。
【００３５】
紫外線ＵＶを出射する半導体発光素子４２ｂとしては、紫外線レーザダイオード（ＵＶ−ＬＤ）または紫外線発光ダイオード（ＵＶ−ＬＥＤ）が用いられる。
【００３６】
図３に示すように、紫外線照射装置４０内には、透明管４１の周囲に、光ファイバ１の走行方向に垂直な面上に射影したときに、光ファイバ１を中心として放射状に略同じ角度をなすように三台以上の奇数台（図３に示す例では、五台）の発光部４２が配置されている。そして、各発光部４２と透明管４１との間には、円柱形のレンズ４３が配置されている。これにより、発光部４２の半導体発光素子４２ｂから出射される紫外線ＵＶは、円柱形のレンズ４３を透過することによって略平行光となり、透明管４１を透過して光ファイバ１に照射される。レンズ４３が円柱形レンズであり、光ファイバ１の走行方向に垂直に見たときにほぼ円形であるので、半導体発光素子４２ｂから光ファイバ１までの距離が短くても紫外線ＵＶを集光して光ファイバに当たる紫外線量を多くすることができる。
【００３７】
透明管４１および光ファイバ１を挟んだ、発光部４２の対面には、反射面が凹面となっている反射鏡４４が配置されている。反射鏡４４の反射面の曲率は、反射した反射紫外線ＲＵＶが透明管４１内に集光する所定の曲率に設定されている。これにより、透明管４１の反対側に出た略平行光の紫外線ＵＶは、反射鏡４４の反射面によって反射し、透明管４１内で集光する。アルミニウムは、ＵＶＡ領域の紫外線に対し、比較的高い反射率を有するので、反射鏡４４は、例えばアルミニウム製とすることが好ましい。ところが、アルミニウムは酸化を受けたり、傷がつきやすいため、反射鏡４４に保護コート（例えば、フッ化マグネシウム）を施すことが望ましい。
【００３８】
また、紫外線照射装置４０において照射する紫外線は、紫外線硬化型樹脂に含まれる光重合開始剤の吸収波長に合わせることが望ましい。光重合開始剤の吸収波長範囲は、ある程度幅を持っている。また、プライマリ樹脂用，セカンダリ樹脂用，プライマリ樹脂とセカンダリ樹脂両用のものなど、吸収波長範囲の異なる複数の光重合開始剤を使用する場合がある。このため、使用する光重合開始剤の吸収波長範囲は、ある程度幅を持っているので、照射する紫外線の波長にもある程度幅があるようにする。
【００３９】
このため、異なる発光特性を有する二種類以上の半導体発光素子４２ｂを使用するとよい。例えば、照射される紫外線ＵＶの中心波長が１０ｎｍ以上異なる発光特性の半導体発光素子４２ｂを使用するとよく、紫外線の中心波長が約３６５ｎｍ、３８５ｎｍ、３９５ｎｍである各半導体発光素子４２ｂを適宜組み合わせるなどして使用するとよい。
【００４０】
図２に示す紫外線照射装置４０では、図３に示した五台（三台以上の奇数台）の発光部４２,レンズ４３および反射鏡４４の組み合わせを構造体Ｓとすると、構造体Ｓは、光ファイバ１の走行方向に沿った同位置に一段で配置されている。
なお、紫外線照射装置内に設置する上記構造体Ｓは、一段に限定されるものではなく、後述する紫外線照射装置の変形例（図６参照）のように、光ファイバ１の走行方向に沿って複数段配置するようにしてもよい。
【００４１】
上記のような、紫外線照射装置４０内に設置する複数の発光部４２に含まれる半導体発光素子４２ｂとして、上記のような異なる発光特性を有する二種類以上の半導体発光素子４２ｂを使用する場合においては、以下のような構成としてもよい。
【００４２】
一つの発光部４２に含まれる半導体発光素子４２ｂは、出射される紫外線の中心波長が同じ種類の半導体発光素子４２ｂを使用し、紫外線照射装置４０は、異なる種類の半導体発光素子４２ｂをそれぞれ使用して出射される紫外線の中心波長が１０ｎｍ以上異なる複数の発光部４２を含む構成にしてもよい。
上記構成では、一つの発光部４２に含まれる半導体発光素子４２ｂの中心波長は同じであるが、複数の発光部４２のうちに、異なる種類の半導体発光素子４２ｂをそれぞれ使用して中心波長が１０ｎｍ以上異なる紫外線を出射する発光部４２があるので、紫外線を照射する工程において、照射する紫外線の波長をある程度幅があるようにすることができる。
【００４３】
また、上記構造体Ｓの一段（光ファイバ１の走行方向に沿った同位置に配置される一つの段）に含まれる三台以上の奇数台の発光部４２のうちに、出射される紫外線の中心波長が１０ｎｍ以上異なる複数の発光部４２を含むようにしてもよい。
上記構成では、光ファイバ１の走行方向に沿った同位置に配置される一つの段に含まれる発光部４２から出射される紫外線に中心波長が１０ｎｍ以上異なるものが含まれるので、異なる複数の方向から照射する紫外線の波長を幅があるようにすることができる。
【００４４】
次に、発光部４２に対する放熱手段について図４にその一例を挙げて説明する。
発光部４２は、発光している半導体発光素子４２ｂに発熱が生じる。その放熱のため、半導体発光素子４２ｂの周囲の気体を強制的に交換させることが好ましい。例えば、図４に示すように、半導体発光素子４２ｂの後方にファン４５を置く。そして、ファン４５を回転させて周囲の気体を半導体発光素子４２ｂに送って、半導体発光素子４２ｂから発生する熱を逃がす。さらに、図４に示すように、発光部基台４２ａに放熱フィン４２ｃを付けるとより効果的である。半導体発光素子４２ｂの温度が過度に上昇せず、半導体発光素子４２ｂの寿命を長くできて好ましい。
【００４５】
次に、本実施形態における光ファイバ１の製造方法について説明する。
塗布器３０により紫外線硬化型樹脂が塗布された光ファイバ１（の中心）を、紫外線照射装置４０の透明管４１の中心、または中心近傍（図３の断面において透明管４１の中心から５ｍｍ以内の箇所）に通す。各半導体発光素子４２ｂから出射された紫外線ＵＶを光ファイバ１の表面の紫外線硬化型樹脂に照射して、紫外線硬化型樹脂を硬化する。このようにして、ガラスファイバ２の表面に紫外線硬化型樹脂が被覆された光ファイバ１を製造する。
【００４６】
次に、紫外線照射装置４０における紫外線照射について、さらに詳細に説明する。図５は、紫外線照射装置４０における配光を示す図である。
図５に示すように、半導体発光素子４２ｂから出射され、レンズ４３を透過した紫外線ＵＶは、透明管４１を透過する際には略平行光となるように透明管４１内に照射される。そして、透明管４１の反対側の管壁を透過して透明管４１の外に出た紫外線ＵＶは、反射鏡４４により反射される。反射鏡４４の反射面は凹面となっているので、反射された反射紫外線ＲＵＶは透明管４１内に向けて集光され、光ファイバ１に対して効果的に反射紫外線ＲＵＶを照射するためには、反射鏡４４の曲率半径Ｒを適切な値に設定する必要がある。
【００４７】
光ファイバ１は、透明管４１の中を走行する際に、走行方向に直交する方向への振れが生じる。このため、光ファイバ１の走行位置は、光ファイバ１の直径（例えば、ガラス径が０．１２５ｍｍなど）よりも広い範囲となってしまう。また、線引き時に光ファイバ母材の先端が振れることにより、光ファイバ１が透明管４１に入線する位置が移動する。これらの影響により、光ファイバ１の走行位置の振れ幅は、数ｍｍ程度になる。このため、光ファイバ１の走行位置の振れ幅を考慮に入れて、反射した反射紫外線ＲＵＶの照射幅を調整する必要がある。
半導体発光素子４２ｂから出射された紫外線をレンズで光ファイバ１の位置に集光させるよりも、図５に示したように出射された紫外線ＵＶを一旦反射させて、その反射紫外線ＲＵＶを光ファイバ１付近で集光させる方が、光ファイバ１に照射される紫外線量を多くできて紫外線硬化型樹脂３１を十分硬化させることができる。
【００４８】
反射紫外線ＲＵＶの強度は、反射鏡４４の曲率半径Ｒを小さくする程大きくなる。しかし、反射鏡４４の曲率半径Ｒを小さくする程、反射幅は狭くなり、紫外線ＵＶの照射方向(図５に示すＸ方向）に対する反射強度のばらつきも大きくなる。したがって、光ファイバ１の走行位置の振れ幅を考慮に入れて、反射鏡４４の曲率半径Ｒを設定する必要がある。
【００４９】
反射鏡４４の曲率半径Ｒを適宜設定すれば、図３で示した紫外線照射装置４０の構造体Ｓの構成において、反射鏡４４で反射される反射紫外線ＲＵＶの反射強度の位置（光ファイバ１の走行方向に直交する方向の位置）によるばらつき（強度分布）を調整することができる。これにより、発光部４２から出射される紫外線ＵＶと反射鏡４４で反射される反射紫外線ＲＵＶとの合計の紫外線強度分布を調整することができる（発光部４２から出射される紫外線ＵＶの強度を変えてもよい）。
【００５０】
上記の紫外線強度分布は、中心位置へ焦点を絞って狭くすると、中心位置の近傍から離れると強度が大きく減衰し、光ファイバ１の走行位置の振れが大きい場合、光ファイバ１に紫外線がほとんど照射されず紫外線硬化型樹脂が未硬化となってしまう。逆に、紫外線強度分布を広げ過ぎると、紫外線強度の最大値が小さくなるので、十分な照射量を得られず紫外線硬化型樹脂が硬化しにくくなり、確実に硬化させるには光ファイバ１の線速を遅くする必要がある。
【００５１】
以上のことから、上記紫外線強度分布を適正なものにすることが好ましい。例えば、発光部４２から出射される紫外線ＵＶと反射鏡４４で反射される反射紫外線ＲＵＶとの合計の紫外線強度分布をその最大強度に対し８０％以上の領域Ｅ（図３参照）の図３における径が１ｍｍ以上２０ｍｍ以下となるようにするとよい（好ましくは、上記領域の図３における径が１ｍｍ以上３ｍｍ以下となるようにするとよい）。これにより、光ファイバ１の走行位置の振れ幅が上記領域の範囲内であれば、十分な照射量を得ることができ、紫外線硬化型樹脂を確実に硬化させることができる。
【００５２】
また、透明管４１は、紫外線硬化型樹脂３１を効率よく硬化させるために紫外線の透過率がよいもの（あるいは吸光係数が小さいもの）を用いることが好ましい。このため、透明管４１の一側から３００ｎｍから４５０ｎｍまでの波長の光を照射して、透明管４１の他側で透過した光を測定したときの透過率が８０％以上であることが好ましい。より好ましくは上記透過率を９０％以上とし、さらに好ましくは上記透過率を９５％以上とすると良い。これにより、透明管４１を透過する紫外線の割合が大きくなるので、光ファイバ１に照射される紫外線の量を多くすることができる。
上記の透過率は次のように定義するものである。ある波長において、透明管４１を通った時の光強度Ｉ（光が透明管４１の中心に向かって入って、透明管４１の中を通過し、また透明管４１から出た後の光強度）と透明管４１が無いときの光強度Ｉ０（レファレンス）を使い、Ｉ／Ｉ０を透過率と定義する。
【００５３】
次に、本実施形態に係る光ファイバの製造方法で使用する紫外線照射装置の変形例について説明する。図６は、変形例である紫外線照射装置１４０の断面図である。
図６に示す変形例の紫外線照射装置１４０は、図１において紫外線照射装置４０の代わりに用いられる。紫外線照射装置１４０は、発光部４２,レンズ４３とその対面に配置される反射鏡４４の組み合わせを一組とし、これを複数組光ファイバの走行方向に沿った同位置に配置したもの（図３に示した構造体Ｓ）を一段とし、複数段（例えば、図６では二段）配置されている。このように、構造体Ｓを複数段とすることで、光ファイバ１の走行方向の上下の広い範囲に亘って紫外線を照射することができる。
【００５４】
そして、上記複数段の配置は、例えば、図６に示すように、上段と下段における発光部４２,レンズ４３と反射鏡４４との位置が、光ファイバの走行方向から見て入れ替わるように配置されていてもよい。
例えば、図６のように配置すると、発光部４２の長さがレンズ４３や反射鏡４４よりも長い場合に、上下の各組の距離を短くでき、省スペース化を実現できる。また、発光部４２の配置位置を均等にしやすいので、より均等に周囲から紫外線を照射することができる。
【００５５】
また、紫外線照射装置１４０において、出射される紫外線の中心波長が１０ｎｍ以上異なる半導体発光素子４２ｂを二種類以上使用して、一つの発光部４２とその下に配置される発光部４２とで出射される紫外線の中心波長が１０ｎｍ以上異なるようにしてもよい。
一つの発光部４２とその下に配置される発光部４２とで出射される紫外線の中心波長が１０ｎｍ以上異なるので、光ファイバ１の走行方向に沿って、照射する紫外線の波長を幅があるようにすることができる。例えば上段で紫外線を浴びた光ファイバ１の部分が下段では中心波長が１０ｎｍ以上異なる紫外線を浴びるので、光ファイバ１の走行方向の上下で均等に紫外線を照射することができる。
【００５６】
以上、詳述した本実施形態の光ファイバの製造方法によれば、発光部４２を三台以上の奇数台、光ファイバ１の周囲に配置するので、反射鏡４４を各発光部４２の対面に無理なくそれぞれ配置することができる。
これにより、異なる複数の方向から、光ファイバ１に対して紫外線が照射および反射されるので、光ファイバ１の周囲に均等に紫外線硬化型樹脂を硬化させることができる。
【００５７】
また、上記奇数台の発光部４２の台数を五台とすることにより、光ファイバ１の周囲にできる限り均等に、紫外線硬化型樹脂を硬化させることができる。
【００５８】
また、出射される紫外線の中心波長が１０ｎｍ以上異なる発光特性を有する二種類以上の半導体発光素子４２ｂを使用することにより、照射する紫外線の波長をある程度幅があるようにすることができる。紫外線硬化型樹脂に含まれる光重合開始剤の吸収波長範囲は、ある程度幅を持っているので、紫外線硬化型樹脂に効率よく紫外線を吸収させて、硬化を促進させることができる。例えば、発光部４２を光ファイバ１の走行方向に沿って二台並べる場合、上段の五台の発光部４２のうち３６５ｎｍの中心波長の紫外線を発光するものを三台とし、３９０ｎｍの中心波長の紫外線を発光するものを二台とする。下段の五台の発光部４２のうち３６５ｎｍの中心波長の紫外線を発光するものを二台とし、３９０ｎｍの中心波長の紫外線を発光するものを三台とする。３６５ｎｍの中心波長の紫外線を発光する発光部の下に、３９０ｎｍの中心波長の紫外線を発光する発光部を配する。上段で３６５ｎｍの中心波長の紫外線を浴びた光ファイバ１の部分が下段では異なる波長（この場合は３９０ｎｍの中心波長）の紫外線を浴びる。これにて二台の発光部４２を通じて均等に紫外線を光ファイバ１に照射することができる。
【符号の説明】
【００５９】
１  光ファイバ
２  ガラスファイバ（光ファイバ裸線）
４  光ファイバ母材
１０  製造装置
２０  線引炉
２１  ヒータ
２５  冷却装置
３０  塗布器（ダイス）
３１  紫外線硬化型樹脂
４０、１４０  紫外線照射装置
４１  透明管
４２  発光部
４２ａ  発光部基台
４２ｂ  半導体発光素子
４２ｃ  放熱フィン
４３  レンズ
４４  反射鏡
４６  ガス導入管
４７  ガス排出管
５０  ガイドローラ
５１  引取り手段
５２  巻取りドラム
Ａ  走行方向
Ｒ  曲率半径
Ｓ  構造体
ＵＶ  紫外線
【図１】
0006582815.tif 000002
【図２】
0006582815.tif 000003
【図３】
0006582815.tif 000004
【図４】
0006582815.tif 000005
【図５】
0006582815.tif 000006
【図６】
0006582815.tif 000007